(57)【要約】      （修正有）【課題】外反母趾の症状に合わせて矯正でき、且つ足に痛みを感じることなく使用できる外反母趾矯正用の履物を提供する。【解決手段】外反母趾の矯正部１を先端部２に設ける。矯正部１を、拇指に巻き付けて開放状の先端同士を連結する一対のバンド片で形成する。このバンド片の基端を、上記先端部２の内縁２ａに固定する。この場合、本考案は、一対のバンド片の重合位置に面状ファスナー４を設け、この面状ファスナー４でバンド片の先端同士を連結可能に形成するのが良い。また本考案は、先端部２の小指に対応する位置に、小指を固定する手段を設けるのが好ましい。【選択図】図１
0003203634.tif 000002
【実用新案登録請求の範囲】
【請求項１】
外反母趾の矯正部が先端部に設けられている外反母趾矯正用の履物であって、上記の矯正部が拇指に巻き付けて開放状の先端同士を連結する一対のバンド片で形成され、このバンド片の基端が上記先端部の内縁に固定されていることを特徴とする外反母趾矯正用の履物。
【請求項２】
請求項１記載の外反母趾矯正用の履物であって、一対のバンド片の重合位置に面状ファスナーが設けられ、この面状ファスナーでバンド片の先端同士が連結可能に形成されていることを特徴とする外反母趾矯正用の履物。
【請求項３】
請求項１又は２記載の外反母趾矯正用の履物であって、先端部の小指に対応する位置に、小指を固定する手段が設けられていることを特徴とする外反母趾矯正用の履物。
【考案の詳細な説明】
【技術分野】
【０００１】
本考案は、スリッパ等の履物に関し、更に詳しくは外反母趾を矯正できるよう形成した外反母趾矯正用の履物に関する。
【背景技術】
【０００２】
従来、この種の履物としては、例えば特許文献１に記載されているものがある。
この従来品は、サンダルの先に、足の親指（以下、「拇指」という）を入れるための支持体がループ状に設けられ、この支持体に拇指を入れることで拇指を他の指から強制的に引き離して外反母趾を矯正するよう形成されていた。
【０００３】
また従来、特許文献２に記載されているように、足の内側面に、拇指に沿って矯正具を直に取り付けて使用する外反母趾矯正具も知られている。
【０００４】
ところで、外反母趾の症状は、人それぞれである。従って、この種の矯正器具は、拇指を、他の指から引き離す間隔も、各人の症状に合わせて調節できるよう形成されているのが望ましい。
【０００５】
しかるに、特許文献１に記載の従来品は、上記の通り、拇指を入れるための支持体がループ状に形成され、この支持体に拇指を挿入して使用する構造であった。
従って、この従来品の場合は、症状に合わせて拇指を他の指から引き離すことができず、使い勝手が悪い、という問題点があった。
【０００６】
また特許文献２の従来品は、足に直接取り付けて使用するものである。
従って、これによると、足の取付箇所が痛くなるのを避けられず、長時間にわたって使用することができない、という問題点があった。
【先行技術文献】
【特許文献】
【０００７】
【特許文献１】特開２０１５―５１４５２８号公報
【特許文献２】特開２０１０―２８４２１０号公報
【考案の概要】
【考案が解決しようとする課題】
【０００８】
本考案は、このような従来の実情に鑑み、提案されたものである。
従って、本考案の解決しようとする技術的課題は、外反母趾の症状に合わせて矯正でき、且つ足に痛みを感じることなく使用できるよう形成した、使い勝手の良い外反母趾矯正用の履物を提供することにある。
【課題を解決するための手段】
【０００９】
本考案は、上記の課題を解決するために、次のような技術的手段を採る。
即ち、本考案は、図１等に示されるように、外反母趾の矯正部１が先端部２に設けられている外反母趾矯正用の履物であって、上記の矯正部１が、拇指３に巻き付けて開放状の先端同士を連結する一対のバンド片で形成され、このバンド片の基端が上記先端部２の内縁２ａに固定されていることを特徴とする（請求項１）。
【００１０】
而して、本考案の履物は、図１等に示されるように、一対のバンド片の重合位置に面状ファスナー４が設けられ、この面状ファスナー４でバンド片の先端同士が連結可能に形成されているのが好ましい（請求項２）。
【００１１】
なぜならこれによると、一対のバンド片の連結、解除を簡単、迅速にでき、一層、使い勝手が良くなるからである。
【００１２】
また本考案は、図５、図６に示されるように、先端部２の小指８に対応する位置に、小指８を固定する手段９が設けられているのが好ましい（請求項３）。
【００１３】
なぜならこれによると、小指８の位置を固定でき、拇指３を外反方向と逆方向（内方向）に強制的に引いたとき、他の指が拇指と一緒に内方向に引かれる事態を防止でき、外反母趾の矯正効果を高めることができるからである。
【考案の効果】
【００１４】
本考案の履物は、このように外反母趾の矯正部が、拇指に巻き付けて開放状の先端同士を連結する一対のバンド片で形成され、このバンド片の基端が先端部の内縁に固定されている。
【００１５】
従って、本考案の場合は、一対のバンド片の締め具合を調節できるから、これによれば、外反母趾の症状（程度）に合わせて拇指を矯正できる、という実用上優れた効果を奏する。
【００１６】
また本考案品は、足に直接取り付けて使用する構造ではないから、これによれば、足を痛めることなく、外反母趾を矯正できる、という利点がある。
【図面の簡単な説明】
【００１７】
【図１】本考案の履物の好適な一実施形態を示す斜視図である。
【図２】同上履物の平面図である。
【図３】同上履物の要部側面図である。
【図４】図３のＩＶ−ＩＶ線における要部断面図である。
【図５】同上履物の他の実施形態を示す要部斜視図である。
【図６】図５の実施形態の要部平面図である。
【考案を実施するための形態】
【００１８】
以下、本考案の好適な一実施形態を、添付図面に従って説明する。
本考案は、図１等に示されるように、外反母趾の矯正部１が先端部２に設けられている外反母趾矯正用の履物である。この実施形態の本考案は、スリッパに実現されている。
【００１９】
上記の矯正部１は、拇指３に巻き付けて開放状の先端同士を連結する一対のバンド片で形成されている。この矯正部１としてのバンド片は、その先端の重合位置に、面状ファスナー４が設けられ、この面状ファスナー４で先端同士が連結可能に形成されている
【００２０】
またバンド片の基端は、先端部２の内縁２ａに固定されている。具体的には、図３、図４に示されるように、先端部２の内縁２ａに、金属棒５が前後方向に沿って埋め込まれ、この金属棒５に、矯正部１としてのバンド片の基端が固定されている。
【００２１】
６は、足の甲を押えるための押えバンドである。またこの実施形態の本考案品は、足を履物の底にしっかりと固定するための補助バンド７を備えて形成されている。この補助バンド７は、長尺状の帯片７ａと短尺状の帯片７ｂとで形成され、両者の開放端の重合位置に面状ファスナー４が設けられている。
【００２２】
次に、本考案品の使用例を説明する。
先ず、使用者は、図２に示されるように、拇指３に、矯正部１としての一対のバンド片を巻き付け、面状ファスナー４で締め付ける。これにより、拇指３は、同図に示されるように、内側（金属棒５の側）に強制的に引き寄せられる。
【００２３】
また使用者は、足首の前側付近に、補助バンド７を掛け、その両端を、面状ファスナー４で止める。本考案は、拇指３を内側に強制的に配置でき、使用者はこの状態で歩行することになる。
従って、本考案によれば、特殊な器具で特別の治療を受けることなく、日常生活において、家庭内でまた外出時に自然と外反母趾を矯正できる。
【００２４】
以上の処において、本考案は、図５、図６に示されるように、スリッパ等の履物の先端部２の、小指８に対応する位置に、小指８を固定する手段９が設けられているのでも良い。
【００２５】
小指８を固定する手段９は、この実施形態では、一対の帯状バンドで形成されている。そして、この帯状バンドの重なり合う箇所に、面状ファスナー４が設けられ、この面状ファスナー４で帯状バンドの長さを調節して締付が可能に形成されている。
【００２６】
この実施形態の本考案品を使用する場合は、先ず使用者は、矯正部１としての一対のバンド片を、拇指３に巻き付けて拇指３を内側に固定する。
【００２７】
次に、使用者は、小指８を固定する手段９としての帯状バンドを小指８に巻き付け、その両端を面状ファスナー４で止め、小指８を動かないよう固定する。またこの実施形態の場合は、足の甲に補助バンド７を回し、面状ファスナー４で締めて足に固定して使用する。
【００２８】
なお、この本考案品は、スリッパやサンダル等の履物には限られず、靴の中敷に実現されるのでも良い。また小指８を固定する手段９は、上例の構造には限られず、例えば小指８を挿入可能なトンネル形に形成されているのでも良い。
【００２９】
而して、この本考案品の場合は、拇指３を外反方向とは逆の方向（内方向）に強制的に固定できるだけではなく、小指８を固定できるから、他の指が、拇指３と一緒に内方向に引かれる事態を防止できる。
従って、これによれば、外反母趾の矯正効果を、更に高めることができる。
【符号の説明】
【００３０】
１    矯正部
２    先端部
２ａ  内縁
３    拇指
４    面状ファスナー
８    小指
９    小指を固定する手段
【図１】
0003203634.tif 000003
【図２】
0003203634.tif 000004
【図３】
0003203634.tif 000005
【図４】
0003203634.tif 000006
【図５】
0003203634.tif 000007
【図６】
0003203634.tif 000008